【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
それぞれ異なる角度を向いている複数の画像を第１の表示部に順次表示させる表示制御部と、
画像検索の対象となる複数の画像を記憶する画像記憶部と、
上記第１の表示部に表示した画像と類似する画像を上記画像記憶部に記憶した画像の中から検索する検索部と、
を具備し、上記表示制御部は、上記検索部により検索した画像を、第２の表示部に表示させることを特徴とする画像検索装置。
【請求項２】
上記表示制御部は、向きの異なる第１の画像と第２の画像をもとにモーフィング処理により、上記第１の画像と上記第２の画像の中間の向きの複数の画像を生成するモーフィング処理部をさらに備え、上記第１の表示部は、上記モーフィング処理により生成された画像を順次表示することを特徴とする請求項１に記載の画像検索装置。
【請求項３】
上記第１の表示部は、それぞれ異なる角度を向いている複数の画像を動画像の中から選択して順次表示するものであることを特徴とする請求項１に記載の画像検索装置。
【請求項４】
上記第１の表示部に表示する画像は顔画像であることを特徴とする請求項１に記載の画像検索装置。
【請求項５】
それぞれ異なる角度を向いている複数の画像を第１の表示部に順次表示するステップと、
上記第１の表示部に表示した画像と類似する画像を、画像記憶部に記憶され画像検索の対象となる画像の中から検索するステップと、
上記検索した画像を表示するステップと、
を備えたことを特徴とする画像検索方法。
【請求項６】
それぞれ異なる角度を向いている複数の画像を第１の表示部に順次表示するステップと、
上記第１の表示部に表示した画像と類似する画像を、画像記憶部に記憶され画像検索の対象となる画像の中から検索するステップと、
上記検索した画像を表示するステップと、
を含むことを特徴とする画像検索用プログラム。
【請求項７】
被写体像を結像するための光学系と、この被写体像を光電変換する撮像素子等を含み、画像データを取得するための撮像部と、
上記画像データを記憶する画像記録部と、
上記取得した画像データから顔の部分を検出する顔検出部と、
上記顔検出部によって検出された顔の部分が向いている角度を判定する角度判定部と、
を有し、
上記画像記録部は、上記画像データと共に上記角度を記録することを特徴とするカメラ。
【請求項８】
上記撮像部によって上記画像データを取得した際に、この画像データが、上記画像記録部に記憶されている画像の中から、上記顔検出部によって検出された顔と類似するか否かを判定する類似判定部を有し、上記画像記録部は、上記画像データに、上記類似判定部によって類似すると判定された画像を関連付けて記録することを特徴とする請求項７に記載のカメラ。
【請求項９】
第１の表示領域と第２の表示領域を有する表示部と、
インデックス画像と、静止画像を記憶する記憶部と、
上記インデックス画像を順次表示するように制御する動画表示制御部と、
上記第１の表示領域に動画表示制御部によって順次表示されるインデックス画像の動きに応じて、このインデックス画像と類似する静止画像を検索する検索部と、
を有し、
上記検索部によって検索された静止画像を第２の表示領域に表示することを特徴とする画像検索装置。
【請求項１０】
上記インデックス画像は、上記静止画像の特定部分より生成されることを特徴とする請求項９に記載の画像検索装置。
【手続補正２】
【補正対象書類名】明細書
【補正対象項目名】発明の名称
【補正方法】変更
【補正の内容】
【発明の名称】画像検索装置、画像検索方法、画像検索用プログラム、およびカメラ
【手続補正３】
【補正対象書類名】明細書
【補正対象項目名】０００１
【補正方法】変更
【補正の内容】
【０００１】
本発明は、画像検索装置、画像検索方法、画像検索用プログラム、およびカメラに関し、詳しくは、多数の写真画像の中から画像を迅速かつ分かりやすく検索可能な画像検索装置、画像検索方法、画像検索用プログラム、およびカメラに関する。
【手続補正４】
【補正対象書類名】明細書
【補正対象項目名】０００５
【補正方法】変更
【補正の内容】
【０００５】
本発明は、このような事情を鑑みてなされたものであり、分類された画像を表示手段上で少ない操作で容易に検索することのできる画像検索装置、画像検索方法、画像検索用プログラム、およびカメラを提供することを目的とする。
【手続補正５】
【補正対象書類名】明細書
【補正対象項目名】０００６
【補正方法】変更
【補正の内容】
【０００６】
上記目的を達成するため第１の発明に係わる画像検索装置は、それぞれ異なる角度を向いている複数の画像を第１の表示部に順次表示させる表示制御部と、画像検索の対象となる複数の画像を記憶する画像記憶部と、上記第１の表示部に表示した画像と類似する画像を上記画像記憶部に記憶した画像の中から検索する検索部と、を具備し、上記表示制御部は、上記検索部により検索した画像を、第２の表示部に表示させる。
【手続補正６】
【補正対象書類名】明細書
【補正対象項目名】０００７
【補正方法】変更
【補正の内容】
【０００７】
第２の発明に係わる画像検索装置は、上記第１の発明において、上記表示制御部は、向きの異なる第１の画像と第２の画像をもとにモーフィング処理により、上記第１の画像と上記第２の画像の中間の向きの複数の画像を生成するモーフィング処理部をさらに備え、上記第１の表示部は、上記モーフィング処理により生成された画像を順次表示する。
【手続補正７】
【補正対象書類名】明細書
【補正対象項目名】０００８
【補正方法】変更
【補正の内容】
【０００８】
第３の発明に係わる画像検索装置は、上記第１の発明において、上記第１の表示部は、それぞれ異なる角度を向いている複数の画像を動画像の中から選択して順次表示する。
第４の発明に係わる画像検索装置は、上記第１の発明において、上記第１の表示部に表示する画像は顔画像である。
【手続補正８】
【補正対象書類名】明細書
【補正対象項目名】０００９
【補正方法】変更
【補正の内容】
【０００９】
上記目的を達成するため第５の発明に係わる画像検索方法は、それぞれ異なる角度を向いている複数の画像を第１の表示部に順次表示するステップと、上記第１の表示部に表示した画像と類似する画像を、画像記憶部に記憶され画像検索の対象となる画像の中から検索するステップと、上記検索した画像を表示するステップと、を備える。
【手続補正９】
【補正対象書類名】明細書
【補正対象項目名】００１０
【補正方法】変更
【補正の内容】
【００１０】
上記目的を達成するため第６の発明に係わる画像検索用プログラムは、それぞれ異なる角度を向いている複数の画像を第１の表示部に順次表示するステップと、上記第１の表示部に表示した画像と類似する画像を、画像記憶部に記憶され画像検索の対象となる画像の中から検索するステップと、上記検索した画像を表示するステップと、を含む。
【手続補正１０】
【補正対象書類名】明細書
【補正対象項目名】００１２
【補正方法】変更
【補正の内容】
【００１２】
第８の発明に係わるカメラは、上記第７の発明において、上記撮像部によって上記画像データを取得した際に、この画像データが、上記画像記録部に記憶されている画像の中から、上記顔検出部によって検出された顔と類似するか否かを判定する類似判定部を有し、上記画像記録部は、上記画像データに、上記類似判定部によって類似すると判定された画像を関連付けて記録する。
【手続補正１１】
【補正対象書類名】明細書
【補正対象項目名】００１３
【補正方法】変更
【補正の内容】
【００１３】
第９の発明に係わる画像検索装置は、第１の表示領域と第２の表示領域を有する表示部と、インデックス画像と、静止画像を記憶する記憶部と、上記インデックス画像を順次表示するように制御する動画表示制御部と、上記第１の表示領域に動画表示制御部によって順次表示されるインデックス画像の動きに応じて、このインデックス画像と類似する静止画像を検索する検索部と、を有し、上記検索部によって検索された静止画像を第２の表示領域に表示する。
また、第１０の発明に係わる画像検索装置は、上記インデックス画像は、上記静止画像の特定部分より生成される。
【手続補正１２】
【補正対象書類名】明細書
【補正対象項目名】００１４
【補正方法】変更
【補正の内容】
【００１４】
本発明によれば、分類された画像を表示手段上で少ない操作で容易に検索することのできる画像検索装置、画像検索方法、画像検索用プログラム、およびカメラを提供することができる。
【手続補正１３】
【補正対象書類名】明細書
【補正対象項目名】００６７
【補正方法】変更
【補正の内容】
【００６７】
図１０に示す変形例では、表示画面８−１のインデックス部８４に、「ます画像」や「野ばら画像」等のテーマが、選択可能なようにインデックス画像９３として表示される。これらのテーマ対象物に動きがある場合には、背景分離が可能である。インデックス画像９３のいずれかを選択すると、主被写体画像（図１０の例では、ます画像）が、表示画面８−１→表示画面８−２に示すように動き回る。そして、この主被写体画像に類似する撮影画像８２が、順次、検索表示部８５に表示される。
【手続補正１４】
【補正対象書類名】明細書
【補正対象項目名】００６８
【補正方法】変更
【補正の内容】
【００６８】
次に、別のテーマのインデックス画像９３が選択される（図１０の例では、野ばら画像）と、そのテーマ対象物が動画で再生表示される（表示画面８−３では、花が風に揺れる様子など）。そして、そのテーマ対象物と類似する撮影画像８２（向き等も同じ）が、検索表示部８５に表示される。